(57)【要約】【課題】新聞紙を両手が使用できる安定した肩掛け状態で保持し、持ち運びできる、構造の簡単な新聞配達用肩掛けホルダーを提供する。【解決手段】２つ折り状態の新聞紙１を、折り返して挟み込むホルダーシート２の対応する側端２１，２１に肩掛けベルト３，３を取り付けて構成されている。【選択図】図１
2007000482.tif 000002
【特許請求の範囲】
【請求項１】
２つ折り状態の新聞紙を、折り返して挟み込むようにしたホルダーシートの対応する側端に肩掛けベルトを取り付けて構成された新聞配達用肩掛けホルダー。
【請求項２】
請求項１において、
上記ホルダーシートを肩掛け保持したときに、前方となる部分に切り落とし部を形成している新聞配達用肩掛けホルダー。
【請求項３】
請求項１において、
上記ホルダーシートが２つ折りされたときに底部となる部分を、伸縮自在な素材で構成している新聞配達用肩掛けホルダー。
【発明の詳細な説明】
【技術分野】
【０００１】
本発明は、手配りの場合に、使い勝手のよい、構造の簡単な新聞配達用肩掛けホルダーに関する。
【背景技術】
【０００２】
マンションなどの集合住宅の各住戸に新聞配達する場合、戸建住宅とは異なり、玄関先までバイクや自転車に乗って配達できないため、建物内を歩いて手配りする必要がある。
そのため、従来は、複数の新聞紙を重ね合わせ、２つ折にした状態で紐に掛け渡し、その紐を肩に掛けて保持し、新聞紙を一部ずつ取り出して、手配りするという方法が広く行われている。
【特許文献１】特になし
【発明の開示】
【発明が解決しようとする課題】
【０００３】
しかしながら、このような方法では、新聞紙を紐で束ねて保持するため嵩張り、多くの部数を保持することはできず、また走ったりしたときには手で新聞を押さえておくなどの必要もあるため、持ち運びも不便であった。
【０００４】
また、新聞紙は何ら覆いもないため、雨天時に濡れてしまうなどの問題があり、ビニールで１枚づつ覆ったとしても、雨で濡れてしまうと、滑りやすく、扱い難いなどの問題があった。
【０００５】
本発明は、新聞紙を保持して手配りする手段が何らの工夫、改善もされていない事情に鑑みて提案されるものであって、持ち運びが容易で、かつ新聞紙も雨にも濡れにくいなどの利点があり、しかも構造が簡単な新聞配達用肩掛けホルダーを提供することを目的とする。
【課題を解決するための手段】
【０００６】
上記目的を達成するため、提案される請求項１の本発明では、２つ折り状態の新聞紙を、折り返して挟み込むホルダーシートの対応する側端に肩掛けベルトを取り付けて構成されている。
【０００７】
請求項２では、ホルダーシートを肩掛け保持したときに、前方となる部分に切り落とし部を形成している。
【０００８】
請求項３では、ホルダーシートが２つ折りされたときに底部となる部分を、伸縮自在な素材で構成している。
【発明の効果】
【０００９】
請求項１によれば、広げたホルダーシートの上に新聞紙を積み上げてから、ホルダーシートを２つ折にして、肩掛けベルトを肩に掛けるだけで脇側に保持できるので紐掛けのように嵩張らず、新聞紙を持ち運びでき、その状態では両手も自由に使える。
また、肩掛けベルトを肩に掛けたときには、ホルダーシートの開口部が前方部分に位置するので、その開口より手を差し入れて新聞紙を一部ずつ取り出すことができ、作業性がよい。
また、新聞紙は、ホルダーシートで覆われた状態で配達者の脇側に保持されるので、新聞紙を雨に濡れにくい状態にできる。
【００１０】
請求項２によれば、肩掛けベルトを肩に掛けたときに、配達者の前方部分に位置するホルダーシートの開口より手を差し入れて新聞紙を一部ずつ取り出す際に、新聞紙がホルダーシートに引っかかることが防止でき、手を差し入れて、一部ずつをスムーズに取り出しできる。
【００１１】
請求項３によれば、ホルダーシートの底部の幅寸法が、挟み込む新聞紙の束の厚さに応じて伸び縮みし、新聞紙の束の厚みが小さい場合にはホルダーシートの底幅も小さく、新聞紙の厚みが大きい場合にはホルダーシートの底幅も大きくなって、使い勝手がよくなる。
【発明を実施するための最良の形態】
【００１２】
以下に、本発明の実施の形態について説明する。
【実施例１】
【００１３】
図１、図２は、本発明の新聞配達用肩掛けホルダーの構成の一例を示す図である。
【００１４】
この新聞配達用肩掛けホルダーＡは、２つ折り状態の新聞紙１を挟んだ状態で包み込むホルダーシート２と、ホルダーシート２の対応する側端２１，２１には、一組の肩掛けベルト３，３を取り付けて構成されている。
【００１５】
ホルダーシート２は、対称な辺部２０，２０を有しており、重量ある新聞紙１の束を保持するため、繊維布、合成繊維布、メッシュ生地などの丈夫で柔軟な素材で構成される。
肩掛けベルト３，３は、肩パッドを設けたり、肩に強い刺激を与えない素材で製造することが望ましいが、不図示の調整具でその長さを調整できるようにすればなおよい。
【００１６】
ホルダーシート２は、図１に示したように、床面などに広げ、その辺部２０、２０の一方に、新聞紙１を積み上げて束を形成してから、図２に示すように、肩掛けベルト３，３を重ね合わせて持ち上げると、中央部分が底部２３を形成するように２つ折され、このとき、前方と後方に開口Ｈを生じるので、その開口Ｈより手を差し入れることで新聞紙１を１枚づつ取り出すことができる。
なお、広げたホルダーシート２の一方の辺部２０に、新聞紙１を積み上げる場合、新聞紙１の折り返し背部分１ａが、ホルダーシート２を肩掛けしたときに、上方に位置するように揃えておくと、新聞紙１を手探りで簡単に１部づつ取り出すことが出来るので、作業上望ましい。
また、図２のように、ホルダーシート２の前方となる部分に、切り落とし部２２を形成しておけば、手を開口Ｈに差し入れるときに、障害とならずにスムーズに取り出しできる。図２では、切り落とし部２２は、前方だけでなく、後方にも形成しているが、こうすれば、ホルダー１を肩に掛けた際に、ホルダー１の前方、後方を区別する必要がなくなる。
また、ホルダーシート２の底部以外の縁部には、芯材２４を組み込むか芯部を形成して保形を図ってもよく、更に、ホルダーシート２の上辺２５や開口Ｈの縁辺には、マジックテープ（登録商標）やホックなどを設けて、走って移動する場合などに閉じ合わせ出来るようにしてもよい。
【００１７】
ホルダーシート２を、２つ折りにした状態で底部２３となる部分は、ゴムなどの伸縮自在な素材で構成してもよい。そのようなものでは、ホルダーシート２の底部２３の幅寸法が、挟み込む新聞紙１の束の厚さに応じて伸び縮みし、新聞紙１の束の厚みが小さい場合にはホルダーシート２の底部２３の幅寸法も小さく、新聞紙１の束の厚みが大きい場合にはホルダーシート２の底部２３も大きくなって、使い勝手がよくなる。また、底部２３には、通気のための開口部を形成したり、メッシュ地にしてもよいが、その場合、新聞紙１が引っかからないものであることが望ましい。
【００１８】
図３〜図５は、本発明の新聞ホルダーＡの使用例を示している。
【００１９】
図３、図４は、肩掛けベルト３を手前の肩に掛けて使用する例を示している。
この例の場合、ホルダーシート２には、比較的多くの部数が収容でき、開口Ｈは人の前方に向くので、両手は自由に使用でき、開口Ｈに手を差し入れて新聞紙を一部ずつ引き抜くことができる。
【００２０】
図５は、肩掛けベルト３を袈裟掛け状態で保持する状態を示す図である。
ホルダーシート２内に収容する新聞紙１の部数が少なくなった場合に袈裟掛けすれば、ホルダーシート２を脇腹側に引き付けて、垂れ下がりを保持できるので、より扱いが容易となる。
【図面の簡単な説明】
【００２１】
【図１】本発明の構成の一例を示す図
【図２】本発明の新聞紙を挟み込んだ状態を示す図
【図３】本発明の使用例を示す図（前側方より見た図）
【図４】本発明の使用例を示す図（側方より見た図）
【図５】本発明の使用例を示す図
【符号の説明】
【００２２】
Ａ  新聞配達用肩掛けホルダー
１  新聞紙
２  ホルダーシート
２１．２１  側端
２２  切り落とし部
２３  底部
３，３  肩掛けベルト
Ｈ  開口
【図１】
2007000482.tif 000003
【図２】
2007000482.tif 000004
【図３】
2007000482.tif 000005
【図４】
2007000482.tif 000006
【図５】
2007000482.tif 000007
【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
２つ折り状態で積み上げて形成した新聞紙の束を載置き、折り返して挟み込むようにしたホルダーシートの対応する上辺には一組の肩掛けベルトを取り付けるとともに、上記ホルダーシートの前後の側端には、上記ホルダーシートの底部から上記上辺に向かって先細状に形成した切り落とし部を形成していることを特徴とする新聞配達用肩掛けホルダー。
【請求項２】
請求項１において、
上記ホルダーシートが２つ折りされたときに底部となる部分を、伸縮自在な素材で構成している新聞配達用肩掛けホルダー。
【手続補正２】
【補正対象書類名】明細書
【補正対象項目名】全文
【補正方法】変更
【補正の内容】
【発明の詳細な説明】
【技術分野】
【０００１】
本発明は、手配りの場合に、使い勝手のよい、構造の簡単な新聞配達用肩掛けホルダーに関する。
【背景技術】
【０００２】
マンションなどの集合住宅の各住戸に新聞配達する場合、戸建住宅とは異なり、玄関先までバイクや自転車に乗って配達できないため、建物内を歩いて手配りする必要がある。
そのため、従来は、複数の新聞紙を重ね合わせ、２つ折にした状態で紐に掛け渡し、その紐を肩に掛けて保持し、新聞紙を一部ずつ取り出して、手配りするという方法が広く行われている。
【特許文献１】特になし
【発明の開示】
【発明が解決しようとする課題】
【０００３】
しかしながら、このような方法では、新聞紙を紐で束ねて保持するため嵩張り、多くの部数を保持することはできず、また走ったりしたときには手で新聞を押さえておくなどの必要もあるため、持ち運びも不便であった。
【０００４】
また、新聞紙は何ら覆いもないため、雨天時に濡れてしまうなどの問題があり、ビニールで１枚づつ覆ったとしても、雨で濡れてしまうと、滑りやすく、扱い難いなどの問題があった。
【０００５】
本発明は、新聞紙を保持して手配りする手段が何らの工夫、改善もされていない事情に鑑みて提案されるものであって、持ち運びが容易で、かつ新聞紙も雨にも濡れにくいなどの利点があり、しかも構造が簡単な新聞配達用肩掛けホルダーを提供することを目的とする。
【課題を解決するための手段】
【０００６】
上記目的を達成するため、提案される請求項１の本発明では、２つ折り状態で積み上げて形成した新聞紙の束を載置き、折り返して挟み込むようにしたホルダーシートの対応する上辺には一組の肩掛けベルトを取り付けるとともに、ホルダーシートの前後の側端には、ホルダーシートの底部から上記上辺に向かって先細状に形成した切り落とし部を形成していることを特徴とする。
【０００７】
請求項２の本発明では、ホルダーシートが２つ折りされたときに底部となる部分を、伸縮自在な素材で構成していることを特徴とする。
【発明の効果】
【０００８】
請求項１によれば、広げたホルダーシートの上に新聞紙を積み上げてから、ホルダーシートを２つ折にして、肩掛けベルトを肩に掛けるだけで脇側に保持できるので紐掛けのように嵩張らず、新聞紙を持ち運びでき、その状態では両手も自由に使える。
また、肩掛けベルトを肩に掛けたときには、ホルダーシートの開口部が前方の側端に位置するので、その開口より手を差し入れて新聞紙を一部ずつ取り出すことができ、作業性がよい。
また、新聞紙は、ホルダーシートで覆われた状態で配達者の脇側に保持されるので、新聞紙を雨に濡れにくい状態にできる。
【０００９】
更に、肩掛けベルトを肩に掛けたときに、配達者の前方部分に位置するホルダーシートの開口より手を差し入れて新聞紙を一部ずつ取り出す際に、新聞紙がホルダーシートに引っかかることが防止でき、手を差し入れて、一部ずつをスムーズに取り出しできる。
【００１０】
請求項２によれば、ホルダーシートの底部の幅寸法が、挟み込む新聞紙の束の厚さに応じて伸び縮みし、新聞紙の束の厚みが小さい場合にはホルダーシートの底幅も小さく、新聞紙の厚みが大きい場合にはホルダーシートの底幅も大きくなって、使い勝手がよくなる。
【発明を実施するための最良の形態】
【００１１】
以下に、本発明の実施の形態について説明する。
【実施例１】
【００１２】
図１、図２は、本発明の新聞配達用肩掛けホルダーの構成の一例を示す図である。
【００１３】
この新聞配達用肩掛けホルダーＡは、２つ折り状態の新聞紙１を挟んだ状態で包み込むホルダーシート２と、ホルダーシート２の対応する上辺２１，２１には、一組の肩掛けベルト３，３を取り付けて構成されている。
【００１４】
ホルダーシート２は、対称な辺部２０，２０を有しており、重量ある新聞紙１の束を保持するため、繊維布、合成繊維布、メッシュ生地などの丈夫で柔軟な素材で構成される。
肩掛けベルト３，３は、肩パッドを設けたり、肩に強い刺激を与えない素材で製造することが望ましいが、不図示の調整具でその長さを調整できるようにすればなおよい。
【００１５】
ホルダーシート２は、図１に示したように、床面などに広げ、その辺部２０、２０の一方に、新聞紙１を２つ折り状態で積み上げて束を形成してから、図２に示すように、肩掛けベルト３，３を重ね合わせて持ち上げると、中央部分が底部２３を形成するように２つ折され、このとき、前方と後方に開口Ｈを生じるので、その開口Ｈより手を差し入れることで新聞紙１を１枚づつ取り出すことができる。
なお、広げたホルダーシート２の一方の辺部２０に、新聞紙１を積み上げる場合、新聞紙１の折り返し背部分１ａが、ホルダーシート２を肩掛けしたときに、上方に位置するように揃えておくと、新聞紙１を手探りで簡単に１部づつ取り出すことが出来るので、作業上望ましい。
また、図２のように、ホルダーシート２の前方の側端となる部分に、切り落とし部２２を形成しておけば、手を開口Ｈに差し入れるときに、障害とならずにスムーズに取り出しできる。図２では、切り落とし部２２は、前方の側端部分だけでなく、後方の側端部分にも形成しているが、こうすれば、ホルダー１を肩に掛けた際に、ホルダー１の前方、後方を区別する必要がなくなる。
また、ホルダーシート２の底部２３以外の縁部には、芯材２４を組み込むか芯部を形成して保形を図ってもよく、更に、ホルダーシート２の上辺２１や開口Ｈの縁辺には、マジックテープ（登録商標）やホックなどを設けて、走って移動する場合などに閉じ合わせ出来るようにしてもよい。
【００１６】
ホルダーシート２を、２つ折りにした状態で底部２３となる部分は、ゴムなどの伸縮自在な素材で構成してもよい。そのようなものでは、ホルダーシート２の底部２３の幅寸法が、挟み込む新聞紙１の束の厚さに応じて伸び縮みし、新聞紙１の束の厚みが小さい場合にはホルダーシート２の底部２３の幅寸法も小さく、新聞紙１の束の厚みが大きい場合にはホルダーシート２の底部２３も大きくなって、使い勝手がよくなる。
【００１７】
また、底部２３には、通気のための開口部を形成したり、メッシュ地にしてもよいが、その場合、新聞紙１が引っかからないものであることが望ましい。
【００１８】
図３〜図５は、本発明の新聞ホルダーＡの使用例を示している。
【００１９】
図３、図４は、肩掛けベルト３を手前の肩に掛けて使用する例を示している。
この例の場合、ホルダーシート２には、比較的多くの部数が収容でき、開口Ｈは人の前方に向くので、両手は自由に使用でき、開口Ｈに手を差し入れて新聞紙を一部ずつ引き抜くことができる。
【００２０】
図５は、肩掛けベルト３を袈裟掛け状態で保持する状態を示す図である。
ホルダーシート２内に収容する新聞紙１の部数が少なくなった場合に袈裟掛けすれば、ホルダーシート２を脇腹側に引き付けて、垂れ下がりを保持できるので、より扱いが容易となる。
【図面の簡単な説明】
【００２１】
【図１】本発明の構成の一例を示す図
【図２】本発明の新聞紙を挟み込んだ状態を示す図
【図３】本発明の使用例を示す図（前側方より見た図）
【図４】本発明の使用例を示す図（側方より見た図）
【図５】本発明の使用例を示す図
【符号の説明】
【００２２】
Ａ  新聞配達用肩掛けホルダー
１  新聞紙
２  ホルダーシート
２１．２１  上辺
２２  切り落とし部
２３  底部
３，３  肩掛けベルト
Ｈ  開口
【手続補正３】
【補正対象書類名】図面
【補正対象項目名】図２
【補正方法】変更
【補正の内容】
【図２】
2007000482.tif 000008